(57)【要約】【課題】展示状態での搬送が容易であり、組立作業性がよく、材料の使用面積も少ない展示兼用包装箱を提供する。【解決手段】少なくとも２個の包装箱１０の端壁１１Ａ，１１Ｂを重畳させて連結手段（粘着テープ３）により連結した展示兼用輸送箱において、包装箱１０は、他の包装箱１０と重畳される第１端壁１１Ａに連設した外フラップ１７Ａの両端縁にかけて延びるように設けた第１破断手段２１と、第２端壁１１Ｂを経由して対向する側壁１２Ａ，１２Ｂにかけて延びるように設けた第２破断手段２２と、第２破断手段２２の両端から第１破断手段２１の両端に向けて延びるように側壁１２Ａ，１２Ｂに設けた一対の第３破断手段２３と、これら第３破断手段２３と連続し第１破断手段２１と上下に略一致するように内フラップ１５Ａ，１５Ｂに設けた第４破断手段２４とを備えている。【選択図】図１
2005225549.tif 000002
【特許請求の範囲】
【請求項１】
四方を囲繞する一対の側壁および端壁と、前記側壁の上端縁に連設した一対の内フラップと、前記端壁の上端縁に連設した一対の外フラップと、を有する少なくとも２個の包装箱を備え、これら包装箱の端壁を重畳させて連結手段により連結した展示兼用輸送箱において、
前記包装箱は、他の包装箱と重畳される第１端壁に連設した外フラップの両端縁にかけて延びるように設けた第１破断手段と、第２端壁を経由して対向する側壁にかけて延びるように設けた第２破断手段と、該第２破断手段の両端から前記第１破断手段の両端に向けて延びるように前記側壁に設けた一対の第３破断手段と、これら第３破断手段と連続し前記第１破断手段と上下に略一致するように前記内フラップに設けた第４破断手段とを備えていることを特徴とする展示兼用輸送箱。
【発明の詳細な説明】
【技術分野】
【０００１】
本発明は、商品の輸送に使用するとともに、店頭で一部を破断して内部に収容した商品を露出させて展示可能とした展示兼用輸送箱に関するものである。
【背景技術】
【０００２】
本発明の展示兼用輸送箱に関連する先行技術文献情報としては次のものがある。
【０００３】
【特許文献１】実公昭６１−４４９８５号公報
【特許文献２】実公昭６２−１０７８号公報
【０００４】
特許文献１に記載の輸送箱は、一対の包装箱を粘着テープからなる連結手段により連結し、店頭においてそれぞれの包装箱の上側部分を分離することにより、内部に収容した商品を露出させて展示可能としている。各包装箱は、天板、側板、底板および側板が直線的に連設され、一端の天板と貼着するための糊代部が他端の側板に連設されている。また、一対の側板には内フラップが連設されるとともに、天板および底板には外フラップが連設されている。さらに、一対の側板の中央には、それぞれ破断手段が設けられるとともに、内フラップの中央には、前記破断手段と対応するとともに前記外フラップの先端と対応する切断線が設けられている。これにより、前記一対の破断手段により側板を破断すると、各包装箱が天板側と底板側とに分離される。
【０００５】
特許文献２に記載の輸送箱は、一対の包装箱を別体の蓋部材により一体的に連結し、それぞれの包装箱の上側部分を分離して、内部に収容した商品を露出させて展示可能とするとともに、一体化した包装箱を分離可能としている。各包装箱は、一対の側壁の間に底壁が連設され、各壁の両端にはフラップが配設されている。そして、一方の側壁および該側壁に連設したフラップにはミシン目状の切断線からなる第１破断手段が設けられている。前記蓋部材は、２個の包装箱を閉塞可能な頂壁を備え、該頂壁に包装箱のフラップに貼着可能なフラップが連設されている。そして、前記頂壁の中央には、各包装箱を分離するための第２破断手段が設けられるとともに、フラップには第１破断手段と重畳する第３破断手段が設けられている。これにより、前記第１，第３破断手段により側壁およびフラップを破断すると、各包装箱の上側部分が分離可能される。また、第２破断手段を破断すると、各包装箱が分離される。
【発明の開示】
【発明が解決しようとする課題】
【０００６】
しかしながら、特許文献１の展示兼用輸送箱では、販売店において展示状態とした後、展示位置を変更する際の搬送が困難であるという問題がある。また、特許文献２の展示兼用包装箱では、包装箱の他に別体の蓋部材が必要であるため、部品点数が多く、組立作業性が悪いうえ、包装箱を形成するのに必要な紙の面積が大きく、コスト高になるという問題がある。
【０００７】
そこで、本発明では、展示状態での搬送が容易であり、組立作業性がよく、材料の使用面積も少ない展示兼用包装箱を提供することを課題とするものである。
【課題を解決するための手段】
【０００８】
前記課題を解決するため、本発明の展示兼用輸送箱は、四方を囲繞する一対の側壁および端壁と、前記側壁の上端縁に連設した一対の内フラップと、前記端壁の上端縁に連設した一対の外フラップと、を有する少なくとも２個の包装箱を備え、これら包装箱の端壁を重畳させて連結手段により連結した展示兼用輸送箱において、前記包装箱は、他の包装箱と重畳される第１端壁に連設した外フラップの両端縁にかけて延びるように設けた第１破断手段と、第２端壁を経由して対向する側壁にかけて延びるように設けた第２破断手段と、該第２破断手段の両端から前記第１破断手段の両端に向けて延びるように前記側壁に設けた一対の第３破断手段と、これら第３破断手段と連続し前記第１破断手段と上下に略一致するように前記内フラップに設けた第４破断手段とを備えた構成としている。
【発明の効果】
【０００９】
本発明の展示兼用輸送箱では、第１破断手段から第４破断手段によって所定部位を破断して展示状態とすると、重畳された第１の端壁の外周部、即ち、隣接する側壁および連設されたフラップの一部が破断されていないうえ、側壁および他の端壁の下側部分も破断されず、残された状態である。そのため、所定の剛性が維持され、この展示状態とした後での搬送も可能である。また、四方を囲繞する壁の上端縁に、蓋を構成するフラップを設けた周知の段ボール箱と同一構成であるため、部品点数が少ないうえ組立作業性がよい。しかも、包装箱を形成するのに必要な材料の使用面積は少なく、コスト高になることを防止できる。
【発明を実施するための最良の形態】
【００１０】
以下、本発明の実施の形態を図面に従って説明する。
【００１１】
図１から図８は、本発明の実施形態に係る展示兼用輸送箱を示す。この展示兼用輸送箱は、２個の包装箱１０を連結手段である粘着テープ３により連結した状態で、各包装箱１０に設けた第１から第４の破断手段２１〜２４により、各包装箱１０の一部を分離して内部に収容した商品を露出させて展示可能としたものである。
【００１２】
具体的には、各包装箱１０は、表紙および裏紙の間に波状の中しんを配設した周知の段ボール紙によって形成されている。この段ボール紙には、製造時に裏紙の表面に中しんの延び方向と直交方向に延びる切離帯１Ａ，１Ｂが貼着されている。この切離帯１Ａ，１Ｂは、段ボール紙を中しんと直交する横方向に破断する第１および第２破断手段２１，２２を構成するもので、本実施形態では、一面に接着剤が塗布されたＰＰ（ポリプロピレン）製のテープが適用されている。そして、この切離帯１Ａ，１Ｂを貼着した段ボール紙を、周知の紙器打抜装置（図示せず）によって切離帯１Ａ，１Ｂと一緒に図７（Ａ）に示す連続した一枚のブランクとして打ち抜き、所定部位を糊付けにより貼着して成形される。
【００１３】
この包装箱１０のブランクは、図７（Ａ）に示すように、四方を囲繞する一対の端壁１１Ａ，１１Ｂおよび側壁１２Ａ，１２Ｂが直線的に連続するように設けられ、一端の端壁１１Ａの端縁には、他端の側壁１２Ｂに貼着するための糊代部１３が連設されている。そして、これら端壁１１Ａ，１１Ｂ、側壁１２Ａ，１２Ｂおよび糊代部１３の各境界部分には、肉厚を圧縮するように罫を入れて形成した折曲線１４が設けられている。
【００１４】
また、側壁１２Ａ，１２Ｂの上下端縁には、上側内フラップ１５Ａ，１５Ｂおよび下側内フラップ１６Ａ，１６Ｂが連設されている。さらに、端壁１１Ａ，１１Ｂの上下端縁には、上側外フラップ１７Ａ，１７Ｂおよび下側外フラップ１８Ａ，１８Ｂが連設されている。さらにまた、糊代部１３の上端縁には、他端の上側内フラップ１５Ｂに貼着するための糊代部１９が設けられている。そして、側壁１２Ａ，１２Ｂと各上側内フラップ１５Ａ，１５Ｂおよび下側内フラップ１６Ａ，１６Ｂとの各境界部分、端壁１１Ａ，１１Ｂと各上側外フラップ１７Ａ，１７Ｂおよび下側外フラップ１８Ａ，１８Ｂとの境界部分、および、糊代部１３と糊代部１９との境界部分には、それぞれ前記と同様の折曲線２０が設けられている。
【００１５】
前記上側外フラップ１７Ａ，１７Ｂおよび下側外フラップ１８Ａ，１８Ｂは、それぞれの先端が互いに突き合う寸法で形成されている。また、上側のフラップ１５Ａ，１５Ｂ，１７Ａ，１７Ｂおよび下側のフラップ１６Ａ，１６Ｂ，１８Ａ，１８Ｂの突出寸法は、全て同一であり、その先端が直線的に一致するように構成されている。しかも、これらフラップと側壁１２Ａ，１２Ｂおよび端壁１１Ａ，１１Ｂとの間に設けた折曲線２０は、それぞれ直線的に一致するように構成している。これにより、ブランクを形成する紙器打抜装置は、高価なダイカッター方式ではなく、フレキソグルアなどの汎用加工機による製造を可能とし、生産コストの削減および生産効率の向上を図っている。
【００１６】
そして、本実施形態では、他の包装箱１０と連結する際に重畳される第１の端壁１１Ａと連設した上側外フラップ１７Ａに第１破断手段２１が設けられ、第２の端壁１１Ｂを経由するように側壁１２Ａ，１２Ｂにかけて第２破断手段２２が設けられ、前記側壁１２Ａ，１２Ｂに第３破断手段２３が設けられ、上側内フラップ１５Ａ，１５Ｂに第４破断手段２４が設けられている。
【００１７】
具体的には、前記第１破断手段２１は、連続する端壁１１Ａとの境界線である折曲線２０と平行な横方向に延びるとともに、上側外フラップ１７Ａの両端縁にかけて延びるように配設された一点鎖線で示す切離帯１Ａにより構成されている。この第１破断手段２１には、破断始点となる上側外フラップ１７の一（右）端縁に一対の切断部２５が切離帯１Ａを挟んで両側に位置するように設けられている。この切断部２５は、図７（Ｂ）に示すように、その一部が切断されていない連続部とされている。
【００１８】
前記第２破断手段２２は、前記第１破断手段２１と平行な横方向に延びるとともに、糊代部１３から他端の側壁１２Ｂにかけて延びるように配設された一点鎖線で示す切離帯１Ｂにより構成されている。この第２破断手段２２には、破断始点となる側壁１２Ａに始点切断部２６が設けられ、第２の端壁１１Ｂを経由して破断終点となる側壁１２Ｂに終点切断部２９が設けられている。これら始点切断部２６と終点切断部２９とは、側壁１２Ａ，１２Ｂにおける対向位置に設けられるとともに、第１破断手段２１よりも前側である端壁１１Ｂに寄った位置に設けられている。前記始点切断部２６は、指を差し込むための差込部２７と引張端部２８とを備えている。差込部２７は、図７（Ｃ）に示すように、切離帯１Ｂと交差するように上下方向に延びる第１切断部２７ａと、該第１切断部２７ａの下端より切離帯１Ｂと平行に延びる第２切断部２７ｂと、前記第１切断部２７ａの上端より切離帯１Ｂと平行に延びる折曲線２７ｃとからなる。前記第２切断部２７ｂは、その一部が切断されていない連続部とされている。引張端部２８は、前記第２切断線２７ｂおよび折曲線２７ｃと所定間隔をもって同一線上に延びる一対の切断部２８ａ，２８ａと、これら切断部の間に設けた半円状切断部２８ｂとからなる。前記終点切断部２９は、図７（Ｄ）に示すように、指を差し込むための差込構造としたものである。具体的には、この終点切断部２９は、切離帯１Ｂと交差するように上下方向に延びる一対の第１切断部２９ａ，２９ａと、これら第１切断部２９ａ，２９ａの下端を連続するように切離帯１Ｂと平行に延びる第２切断部２９ｂと、第１切断部２９ａ，２９ａの上端を連続するように切離帯１Ｂと平行に延びる折曲線２９ｃとからなる。第２切断部２９ｂは、その一部が切断されていない連続部とされている。
【００１９】
前記第３破断手段２３は、前記第２破断手段２２の両端、即ち、前記始点切断部２６および終点切断部２９から第１破断手段２１の両端に向けて斜めに傾斜して延びるように、側壁１２Ａ，１２Ｂにそれぞれ設けた片ジッパー構造からなるものである。ここで、この片ジッパーとは、所定間隔をもって直線的に延びる複数の切断ラインと、各切断ラインの一端に設けたガイドラインとからなるものである。
【００２０】
前記第４破断手段２４は、前記第３破断手段２３と連続し、組立状態で前記第１破断手段２１と上下に略一致し、平行に延びるように上側内フラップ１５Ａ，１５Ｂに設けた切断線からなり、側壁１２Ａ，１２Ｂとの連続部分（折曲線２０）近傍から切離帯１Ａを越えて延びるように形成されている。この第４破断手段２４において、側壁１２Ａ，１２Ｂと連続する側である基端側には、外向きに傾斜したガイド用切断線３０が設けられている。また、本実施形態では、この第４破断手段２４と対応する隅部に矩形状に打ち抜いた面取部３１が設けられている。これにより、第４破断手段２４の全長を短くし、破断作業性の向上を図っている。
【００２１】
さらに、本実施形態の包装箱１０は、図１および図２に示すように、内部に収容する仕切部材３２を備えている。この仕切部材３２は、端壁１１Ａ，１１Ｂの中央においてこれらと平行に配置される第１仕切材３３と、側壁１２Ａ，１２Ｂ間に平行に配置される第２仕切材３５とからなる。
【００２２】
前記第１仕切材３３は、図８（Ａ）に示すように、前記側壁１２Ａ，１２Ｂ間の寸法と略同一の幅で、かつ、端壁１１Ａ，１１Ｂおよび側壁１２Ａ，１２Ｂと同一高さのものである。この第１仕切材３３には、上端より下向きに延びる一対の係合溝３４が設けられている。
【００２３】
前記第２仕切材３５は、図８（Ｂ）に示すように、前記端壁１１Ａ，１１Ｂ間の寸法と略同一の幅で、かつ、端壁１１Ａ，１１Ｂおよび側壁１２Ａ，１２Ｂと同一高さのものである。この第２仕切材３５には、下端中央より上向きに延びる係合溝３６が設けられている。
【００２４】
前記構成の包装箱１０は、糊代部１３，１９に酢酸ビニルエマルジョンなどの接着剤を塗布し、端壁１１Ａを側壁１２Ａに対して折り曲げるとともに、側壁１２Ｂを端壁１１Ｂに対して折り曲げ、側壁１２Ｂの縁に糊代部１３を貼着するとともに、上側内フラップ１５Ｂの縁に糊代部１９を貼着した状態で所定のメーカに納品される。
【００２５】
そして、所定の商品を製造するメーカでは、まず、下側内フラップ１６Ａ，１６Ｂを側壁１２Ａ，１２Ｂに対して折り曲げた後、下側外フラップ１８Ａ，１８Ｂを端壁１１Ａ，１１Ｂに対して折り曲げ、下側外フラップ１８Ａ，１８Ｂの突き合わされた先端部分を貼着手段である粘着テープ２により貼着し、下端開口を閉塞する。なお、貼着手段としては、粘着テープ２の代わりに、下側内フラップ１６Ａ，１６Ｂと下側外フラップ１８Ａ，１８Ｂとの重畳部分をホットメルトなどによって糊付けしてもよい。
【００２６】
ついで、図２に示すように、包装箱１０の開放した上側から格子状に組み合わせた仕切部材３２を収容させ、該仕切部材３２により区画された空間に製造した商品を収容させる。その後、前記と同様に、上側内フラップ１５Ａ，１５Ｂを折り曲げた後、上側外フラップ１７Ａ，１７Ｂを折り曲げ、図３に示すように、突き合わさった上側外フラップ１７Ａ，１７Ｂの先端部分を粘着テープ２により貼着する。または、上側内フラップ１５Ａ，１５Ｂと上側外フラップ１７Ａ，１７Ｂの重畳部分を糊付けする。
【００２７】
次に、このようにして商品を収容させた包装箱１０を２個用意し、各包装箱１０，１０の第１の端壁１１Ａ，１１Ａ同士を重畳させる。その後、図４に示すように、隣接した包装箱１０，１０の境界部分、即ち、上側外フラップ１７Ａ，１７Ａ、側壁１２Ａ，１２Ｂ，１２Ａ，１２Ｂおよび下側外フラップ１８Ａ，１８Ａにかけて、全周を連結手段である粘着テープ３により貼着し、この状態で、所定の販売店に納品する。
【００２８】
このように、本実施形態の展示兼用輸送箱を構成する包装箱１０は、四方を囲繞する壁１１Ａ，１１Ｂ，１２Ａ，１２Ｂの上下端縁に、蓋を構成するフラップ１５Ａ，１５Ｂ〜１８Ａ，１８Ｂを設けた周知の段ボール箱と同一構成であるため、部品点数が少ないうえ組立作業性がよい。しかも、包装箱１０を形成するのに必要な段ボール紙の使用面積は少なく、コスト高になることを防止できる。
【００２９】
一方、前記展示兼用輸送箱に収容した商品を販売する販売店では、図１に示すように、店頭において各包装箱１０，１０を開放状態として内部に収容した商品を露出させ、その商品を展示および販売する。
【００３０】
具体的には、まず、図５に示すように、上側外フラップ１７Ａの第１破断手段２１において、端部に位置する切断部２５を指で捲り上げ、その端部を指で把持して他端に向けて引っ張る。これにより、上側外フラップ１７Ａは、切離帯１Ａによって裂かれるように破断される。
【００３１】
ついで、図６に示すように、第２破断手段２２において、側壁１２Ａに形成した始点切断部２６を構成する差込部２７を内向きに押圧し、残った引張端部２８を指で把持して引っ張る。これにより、側壁１２Ａ、端壁１１Ｂおよび側壁１２Ｂが切離帯１Ｂにより順次裂かれるように破断される。なお、この破断は、図示のように側壁１２Ｂに形成した終点切断部２９に達すると停止する。
【００３２】
ついで、側壁１２Ａにおいて、第２破断手段２２による破断により形成された空間部分に手を差し込み、破断された上側縁を把持する。そして、図中、上向きに引き上げることにより、第３破断手段２３に沿って側壁１２Ａを破断する。また、側壁１２Ｂにおいて、終点切断部２９を内向きに押圧し、形成された空間部分に手を差し込み、その側縁を把持する。そして、図中、上向きに引き上げることにより、第３破断手段２３に沿って側壁１２Ｂを破断する。
【００３３】
最後に、第３破断手段２３により破断した部分の上側を把持し、内向きに引っ張ることにより、第４破断手段２４に沿って上側内フラップ１５Ａ，１５Ｂを破断する。
【００３４】
これにより、図１に示すように、側壁１２Ａ，１２Ｂ、端壁１１Ｂ、上側外フラップ１７Ａおよび上側内フラップ１５Ａ，１５Ｂの大半部分と、上側外フラップ１７Ｂおよび上側内フラップ１５Ａ，１５Ｂの全てを分離し、各包装箱１０，１０の内部に収容した商品を広い範囲から確認できるように露出させることができる。そのため、高い販売促進効果を得ることができる。
【００３５】
また、この展示状態とした輸送箱は、連結手段である粘着テープ３を貼着した第１の端壁１１Ａの外周部、即ち、側壁１２Ａ，１２Ｂおよび上側外フラップ１６Ａの一部が破断されていないうえ、側壁１２Ａ，１２Ｂおよび端壁１１Ｂの下側部分も破断されず、残された状態である。そのため、所定の剛性が維持され、この展示状態とした後での搬送（場所移動）も容易に行うことができる。
【００３６】
さらに、本実施形態では、各包装箱１０の内部に格子状に区画するための仕切部材３２を配設しているため、展開状態の輸送箱を安定して積み重ねることができる。しかも、高価なダイカッター方式ではなく、前記第１破断手段２１の切断部２５、第２破断手段２２の始点切断部２６および終点切断部２９、第３破断手段２３、および、第４破断手段２４を形成するための部分型を用いたフレキソグルアなどの汎用加工機による製造を可能とすることができる。
【００３７】
なお、本発明の展示兼用輸送箱は、前記実施形態の構成に限定されるものではなく、種々の変更が可能である。
【００３８】
例えば、前記実施形態では、第１，第２破断手段２１，２２は切離帯１Ａ，１Ｂを用いて構成したが、第３破断手段２３のような片ジッパーを対称に設けてなるジッパー構造により構成してもよい。
【００３９】
また、前記実施形態において、ユーザが第１から第４の破断手段２１〜２４の破断順番を明確に認識できるように、各破断開始部位に番号を印刷してもよい。
【００４０】
さらに、前記実施形態では、第１の端壁１１Ａの側を残すように構成したが、図９に示すように、第１破断手段２１を上側外フラップ１７Ａ，１７Ｂの両方に、第２破断手段２２の始点切断部２６および終点切断部２９を側壁１２Ａ，１２Ｂの中央にそれぞれ対称に、第３破断手段２３を側壁１２Ａ，１２Ｂにそれぞれ対称に、第４破断手段２４を上側内フラップ１５Ａ，１５Ｂにそれぞれ対称に設けてもよい。このようにすれば、包装箱１０を連結する際の方向性を無くすことができる。また、３以上の包装箱１０を連結し、その連結状態で所定部位を破断して展示することができる。但し、この場合には、中央部に配置された包装箱１０は、第２破断手段２２によって側壁１２Ａ，１２Ｂは殆ど破断しない状態となる。
【００４１】
さらにまた、前記実施形態では、異なる包装箱１０を連結するための連結手段として粘着テープ３を使用したが、少なくとも一方の側壁Ａに連結片を形成し、他方の側壁Ｂに貼着部を形成し、これらを貼着することに連結してもよく、この連結手段の構成は種々の変形が可能である。
【図面の簡単な説明】
【００４２】
【図１】本発明の展示兼用輸送箱の展示状態を示す斜視図である。
【図２】輸送箱を構成する包装箱に商品を収容する状態を示す斜視図である。
【図３】２個の包装箱を連結する前の状態を示す斜視図である。
【図４】２個の包装箱を連結した状態を示す斜視図である。
【図５】輸送箱を展示状態とする第一工程を示す斜視図である。
【図６】輸送箱を展示状態とする第二工程を示す斜視図である。
【図７】（Ａ）包装箱のブランクを示す平面図、（Ｂ），（Ｃ），（Ｄ）は（Ａ）の要部拡大平面図である。
【図８】（Ａ），（Ｂ）は各包装箱に収容する仕切部材のブランクを示す平面図である。
【図９】包装箱の変形例のブランクを示す平面図である。
【符号の説明】
【００４３】
３…粘着テープ（連結手段）
１０…包装箱
１１Ａ，１１Ｂ…端壁
１２Ａ，１２Ｂ…側壁
１５Ａ，１５Ｂ…上側内フラップ
１７Ａ，１７Ｂ…上側外フラップ
２１（１Ａ）…第１破断手段
２２（１Ｂ）…第２破断手段
２３…第３破断手段
２４…第４破断手段
３２…仕切部材
【図１】
2005225549.tif 000003
【図２】
2005225549.tif 000004
【図３】
2005225549.tif 000005
【図４】
2005225549.tif 000006
【図５】
2005225549.tif 000007
【図６】
2005225549.tif 000008
【図７】
2005225549.tif 000009
【図８】
2005225549.tif 000010
【図９】
2005225549.tif 000011